(57)【特許請求の範囲】
【請求項１】
電極の極性切換が可能な有隔膜電解槽の給水側に電解槽の陽極室と陰極室に原水を所定の割合で供給する流量比率調整・切換バルブを介装し、電解槽の前記各極室に連通する一対の排水管路に流路切換えバルブを介装した連続式電解整水装置において、前記流量比率調整・切換バルブは、給水口と前記電解槽の各極室に通ずる一対の排水口の間に切換えスペースを有するバルブケーシングと、バルブケーシングの切換えスペース内に回転及びスライド可能に嵌装された弁体とを具備し、該弁体は、弁体と排水口の相対位置関係により、該排水口の通水開度が所定の開度に調整されるとともに、弁体を切換えスペース内にスライドさせることにより開度調整される排水口が選択的に切換わるようになされたことを特徴とする連続式電解整水装置
【請求項２】
電解槽の一対の排水管路に介装された流路切換バルブが、電解槽の各電極室に各別に連通する一対の流体入口と、利用側と排水側に各別に連通する２つの流体出口を有するバルブケーシングと、このケーシングの流体通路内に往復移動自在に挿入された弁部材を具備し、流体通路内を往復移動する弁部材の位置により、一対の流体入口の各々を利用側流体出口と排水側流体出口に交互に切り換えて連通させる２系統の切換ラインと、一対の流体入口を共に利用側流体出口に連通させる全量利用ラインと、一対の流体入口を共に排水側流体出口に連通させる全量排水ラインの４系統の水回路が選択的に形成されるようにしたことを特徴とする請求項１記載の連続式電解整水装置
【請求項３】
電解槽の一対の排水管路に介装された流路切換バルブの前記バルブケーシングは、流体通路の内壁面に沿って形成された複数ヶ所の弁座群を有するとともに、前記弁部材は、軸方向に内部通水路を有する弁体の外側に、流体通路の前記複数ヶ所の弁座群を選択的に開閉する複数組の開閉弁群を有し、流体通路内を往復移動する弁部材の位置により、一対の流体入口の各々を利用側流体出口と排水側流体出口に交互に切り換えて連通させる２系統の切換ラインと、一対の流体入口を共に利用側流体出口に連通させる全量利用ラインと、一対の流体入口を共に排水側流体出口に連通させる全量排水ラインの４系統の水回路が選択的に形成されるようにしたことを特徴とする請求項２記載の連続式電解整水装置
【請求項４】
前記流量比率調整・切換バルブの上流側給水管に流量制御機構を介装した請求項１、２または３記載の連続式電解整水装置
【請求項５】
電解槽の排水管路に流量比制御機構を介装した請求項１、２ 、３または４記載の連続式電解整水装置
【発明の詳細な説明】
【０００１】
【発明の利用分野】
本発明は水を電解してアルカリイオン水と酸性水を生成する連続式電解整水装置に関し、特に、所定時間毎に電極の極性を切換えて電解を行う逆電式電解槽の給水側に流量比率調整・切換バルブを設け、電解槽の一対の排水管に流路切換バルブを設けた連続式電解整水装置に関する。
【０００２】
【従来の技術】
給水管から供給した原水を電解槽で電気分解し、アルカリ水と酸性水を一対の排水管から排水する連続式電解整水装置は、電解槽の陰極側と陽極側に原水を所望の比率で供給するため、給水管に流量比調整弁を設け、例えば、アルカリイオン水の生成する場合は陰極室と陽極室に供給する原水の流量比を２対１、あるいは３対１になるように流量調整して比率を設定している。
【０００３】
ところで、近年この種の電解整水装置には陰極側に析出するカルシウム等を溶解しながら連続運転する目的から、電極に印加する電圧の極性を所定時間毎に転換する、いわゆる逆電式の電解槽が使用されるようになっている。
【０００４】
【発明が解決しようとする課題】
この種の逆電式電解槽を使用する連続式電解整水装置においては、極性転換によって陽極室と陰極室が入れ換わるため、両電極室への流量比率を逆転しなければならない。しかしながら、一方の側の流量のみを絞って流量比を設定する流量比率調整バルブではこれに対応できず、また、双方の流路の流量を調整できる流量比率調整バルブを使用する場合でも、極性転換に対応して流量比を正確に逆転させることは調整操作が非常に難しく、極性が変る毎にこのような操作を行っていたのでは効率が著しく低下する。
【０００５】
他方、逆電式電解整水装置は、電解槽の一対の排水管に流路切換バルブを設け、極性転換に対して目的の電解水が常に同じ吐水口から取水されるようにしている。  しかし従来の流路切換バルブは一対の排水管の各々を利用側取水口と排水側出口に交互に切換える機能を有しているが、一対の排水管の双方を利用側取水口に連通させたり、排水口に連通させたりすることができない。このため、給水管から供給した水の全量を電解しないで利用側吐水口から取水したり、電解槽を洗浄したときの洗浄水の全量をドレン排水口から捨てたりすることができなかった。
【０００６】
従って、本発明の第１の目的は、流量比率を調節でき、しかも極性転換に対して、設定流量比率を簡単且つ迅速に逆転することができる連続式電解整水装置を提供することにある。
【０００７】
本発明の第２の目的は、一対の電解水排水路の流路を切換えできるとともに、電解槽から排出される水の全量を利用側取水口と排水口に切換えて排出できる上記電解整水装置を提供することにある。
【０００８】
【課題を解決するための手段】
上記第１の目的を達成するために、本発明は、電極の極性切換えが可能な有隔膜電解槽の給水側に電解槽の陽極室と陰極室に原水を所定の割合で供給する流量比率調整・切換バルブを介装し、電解槽の前記各極室に連通する一対の排水管路に流路切換えバルブを介装した連続式電解整水装置において、前記流量比率調整・切換バルブは、給水口と前記電解槽の各極室に通ずる一対の排水口の間に切換えスペースを有するバルブケーシングと、バルブケーシングの切換えスペース内に回転及びスライド可能に嵌装された弁体とを具備し、該弁体は、弁体と排水口の相対位置関係により、該排水口の通水開度が所定の開度に調整されるとともに、弁体を切換えスペース内にスライドさせることにより開度調整される排水口が選択的に切換わるようになされたことを特徴とする。
【０００９】
上記第２の目的を達成するために、本発明は上記の連続式電解整水装置において、電解槽の一対の排水管路に介装された流路切換バルブが、電解槽の各電極室に各別に連通する一対の流体入口と、利用側と排水側に各別に連通する２つの流体出口を有するバルブケーシングと、このケーシングの流体通路内に往復移動自在に挿入された弁部材を具備し、前記バルブケーシングは流体通路の内壁面に沿って形成された複数ヶ所の弁座群を有し、前記弁部材は、軸方向に内部通水路を有する弁体の外側に、流体通路の前記複数ヶ所の弁座群に対応する複数組の開閉弁群を有するとともに、流体通路内を往復移動する弁部材の位置により、一対の流体入口の各々を利用側流体出口と排水側流体出口に交互に切り換えて連通させる２系統の切換ラインと、一対の流体入口を共に利用側流体出口に連通させる全量利用ラインと、一対の流体入口を共に排水側流体出口に連通させる全量排水ラインの４系統の水回路が選択的に形成されるようにしたことを特徴とする。
【００１０】
【作用】
本発明の電解整水装置の給水管に使用される流量比率調整・切換バルブは、一方の排水口に対応させて弁体を回転させると、弁体の回転角と排水口の相対的位置関係により、該排水口の開度が変化し、流量が可変調整される。このため、弁体による流量調整を受けない他側の排水口すなわち、全開排水口に対する流量比率が２対１あるいは４対１のように任意に調節される。
【００１１】
上記のようにして流量比率を設定した弁体を、その回転角のままバルブケーシングの切換スペース内をスライドさせ、他側の排水口に対応させると該他側の排水口は前記と同じ開度に流量調整されるとともに、前記一側の排水口は弁体が離れることにより全開状態になる。従って、一対の排水口の流量比率が逆転し、１対２、１対４のように調整される。
従って、電解槽の電極の極性切換に連動して弁体を一方の排水口から他方の排水口へスライド移動することにより、電解槽の電極室の極性が逆転しても陽極室と陰極室を流れる水は予め設定した流量比率に維持される。
【００１２】
電解槽の一対の排水管に設けた流路切換バルブは、弁体の操作により、排水管の上流側を接続する一対の流体入口と電解水利用側または排水側に連通する一対の流体出口からなる２系統の流路を交互に切換えるとともに、一対の流体入口を共に利用側吐水口に連通させ、さらには一対の流体入口を共に排水側流体出口に連通させる。
従って、電解槽の極性が切換わっても、切換えに応答して、目的の電解水が常に同じ利用側吐水口から取水され、他方の電解水が常に排水側へ排出されるとともに、電解しないときの給水の全量を利用側吐水口へ浄水として取り出すことができるほか、電解槽を薬液などで洗浄したときの水の全量を排水ドレンへ排出することが可能になる。
【００１３】
【実施例】
以下、本発明の実施例を添付の図面に基づいて説明する。
図１ａ及び図１ｂは本発明による連続式電解整水装置の概略構成を示すもので、電解槽１は対向配設した互いに異極の電極２、３間を、電解隔膜４で一対の電極室５ａ、５ｂに仕切った有隔膜電解槽であり、且つ、所定時間毎に電極２、３の極性を転換して電解整水を行う逆電式電解槽である。
【００１４】
電解槽１の一側には一対の電極室５ａ、５ｂに原水を供給する給水管６と電解槽１の電極室５ａ、５ｂの流量比を設定する流量比率調整・切換バルブ１１が接続されているとともに、電解槽１の他側には、電極室５ａ、５ｂ内で電解生成されたアルカリ水と酸性水を各別に排出する一対の排水管路７ａ、７ｂが接続され、一方は利用側吐水口８に接続され、他方はドレン等の排水口９に接続されるようになっている。
【００１５】
上記のように逆電式電解槽１は電極の極性転換によって電極室５ａ、５ｂの極性が逆転するため、一対の排水管路７ａ、７ｂに流路切換えバルブ１０を設け、電極室５ａ、５ｂの極性が逆転しても、利用側吐水口８から同じ性質の電解水が取水されるようにしてある。
【００１６】
また、電極室５ａ、５ｂへの給水流量比率は、アルカリ水、酸性水、あるいは強酸性水のように生成しようとする水によって異なり、目的に応じて比率調整がなされるが、逆電電解槽を使用する電解整水装置にあっては、電極の極性転換によって設定した流量比が逆になってしまう。そこで、本発明の連続式電解整水装置は、電解槽１の給水側に、一つのバルブユニットで電極室５ａ、５ｂへの流量比率を２：１、４：１のように自由に調整できるとともに、調整した流量比率を一対の電極室に対して、選択的に切換えることができるようにした流量比率調整・切換バルブ１１を具備している。以下、この構成を詳述する。
【００１７】
図１ａ、図１ｂに示すように、この電解整水装置の給水管６に設けられている流量比率調整・切換えバルブ１１は、共通給水口１２と、開口面積が同じ一対の排水口１３ａ、１３ｂを有するバルブケーシング１４内に該給水口１２と排水口１３ａ、１３ｂを連続させる切換スペース１５を形成し、この切換スペース１５内に弁体１６を回転及び摺動自在に嵌装してある。
図１ａ、図１ｂの弁体１６は、両端を対称形のテーパー面に形成した円柱体からなり、この弁体１６をバルブケーシング１４の一方の排水口１３ａの位置において、回転させることにより、弁体１６の回転角と該排水口１３ａの相対位置関係により、該排水口１３ａの開度が設定される。この時、他方の排水口１３ｂは弁体１６に影響されず、全開状態にあるので、前記一方の排水口１３ａの流量比率が任意に設定される。
【００１８】
ちなみに、図１ａ、図１ｂは排水口１３ａの開度を２分の１に絞って、一対の排水口１３ａ、１３ｂの流量比を２対１に設定した状態を示しており、また、図２の弁体１６のロッドを回転して排水口１３ａ，１３ｂの流量を約４対１に設定した状態を示している。弁体１６の操作でそのほかの流量比に設定することができる。
【００１９】
他方、一対の排水口１３ａ、１３ｂは同一開口面積に形成されているので図１ａ、図１ｂ及び図２中に仮想線で示すように、弁体１６の回転角を前記の状態に保持したまま他方の排水口１３ｂの対称一にスライドさせると、一対の排水口１３ａ、１３ｂの流量比率が逆に切換えられる。
【００２０】
図１ａ乃至図２は給水口１２全開して流量比を設定する場合を示すのに対し、図３は弁体１６を切換スペース１５内の給水口１２と対向する領域内で弁体１６で給水口１２を絞った上で切換スペース１５の左右排水路１５ａ、１５ｂの流量比を設定する場合を示すものである。この場合は、例えば、電解酸性水を目的とする場合に、同じ流量比であっても給水量を絞ることによって強酸性水を生成することができるなどの利点がある。もっとも、給水流量は図１のように給水管６の本管にオリフイス、絞り弁などの流量制御機構１７を設け、これによって制御するようにしてもよい。
【００２１】
図１ａ、図１ｂ及び図２は弁体１６の両端を対称形テーパ状の柱体で構成した場合を例示したが、これに限定されるものではなく、要は弁体１６の回転により排水口１３ａ、１３ｂまたは切換スペース１５の排水路１５ａ、１５ｂの開度を調整でき、且つ、切換スペース１５内を左右の排水路１５ａ、１５ｂ方向にスライドさせることにより一対の排水路または排水口の開度を選択的に制御できるものであればいかなる構造でもよい。例えば、図は省略したが、回転部の回転操作により内部通口面積を可変にした弁体を、切換スペース内の両排水路側に往復移動させるようにしたものでもよい。
【００２２】
図４ａ及び図４ｂは本発明の電解整水装置に使用される流量比調整・切換バルブのさらに別の具体例を示すもので、このものは給水口１２と一対の排水口１３ａ、１３ｂを有するバルブケーシング１４内の切換スペース１５内に弁体１６が回転、且つ、左右摺動自在に嵌装してある。
【００２３】
弁体１６は図４ａ乃至図５ｄに示すように、回転軸体１６ａの外側に円弧上の大径開閉部材１６ｂを一体回転可能に結合した構成になり、この大径開閉部材１６ｂを係止部として切換えスペース１５内を左右方向へスライドするようになっている。
【００２４】
給水口１２に連通する切換スペース１５を介して向き合う左右の排水路１５ａ、１５ｂは、内周面の一部に同位置同寸法の円弧状窪みを有し、前記弁体１６の回転軸体１６ａとの間に円弧上の通水路１８が形成されるようになっている。
【００２５】
図４ａ、図４ｂ、図５ｅに示すように、弁体１６の一側（図の右側）には軸方向後方に延びる回転伝達部材１６ｃが一体に形成されているとともに、ケーシング１４内にこの回転伝達部材１６ｃと係合する軸方向の切欠き部を有する回転体１９が嵌装されており、回転体１９の軸２０はバルブケーシング１４の外部に突出し、先端のギヤ２１に回転駆動力が与えられるようになっている。
弁体１６は回転伝達部材１６ｃと回転体１９を相補的に係合させることにより、回転体１９と一体に回転し、且つ回転体１９の切欠き部に沿って軸方向へ自由にスライドするように組合わされているとともに、弁体１６と回転体１９の間に介装したばね２２により、一方の排水路１５ａ側に付勢され、弁体１６の開閉部材１６ｂが排水路１５ａの端面に係止されるようになっている。
【００２６】
他方、弁体１６の他側（図の左側）にはバルブケーシング１４の外部から挿入されたプッシュロッド２３が当接されている。
このプッシュロッド２３は後部に送りねじを有するブロック２４に固定されており、ブロック２４のねじは回転ギヤ２５と一体回転するねじ部材２６と螺合されている。かくして、回転ギヤ２５の正転により、プッシュロッド２３が弁体１６をばね２２に抗して排水路１５ｂ側に押し付けるとともに、回転ギヤ２５の逆転により弁体１６がばね２２によって排水路１５ａ側に復帰するようになっている。
【００２７】
かくして、ばね２２により弁体１６を切換スペース１５の一方の排水路１５ａに当接させた状態でギヤ２１に回転力を与えると図５ｆのように弁体１６が回転し、弁体１６の開閉部材１６ｂによって排水路１５ａの通水路１８が任意の開度に開閉される。このとき切換スペース１５の他方の排水路１５ｂの通水路１８は全開になっているので、前記排水路１５ａの通水路１８の開度を変えることにより一対の排水口１３ａ、１３ｂの流量が所望の比率に調整される。
【００２８】
他方、左右の排水路１５ａ、１５ｂの通水路１８の開口位置及び開口面積は略同一形状に形成されているので、回転ギヤ２５を操作して弁体１６をそのままの姿勢で他方の排水路１５ｂ側にスライドさせると排水路１５ａ、１５ｂの各通水路１８、１８の開度が逆になり、流量比が逆転する。従って、電解槽１の電極極性転換に対して、弁体１６をスライドさせるだけで、極性切り換え後の陰極室と陽極室に供給される水の流量比は当初設定した状態に保持される。
【００２９】
弁体１６の回転操作及びスライド操作は、手動でもよいが、好ましくは、回転操作はパルスモーターなどにより、また、スライド操作は電解槽の電極の極性転換に同期または連動させて電気的に自動操作する。
【００３０】
図６ａ乃至図６ｄは本発明装置の排水管路７ａ、７ｂに介装する流路切換バルブ１０の好ましい実施例を示すもので、この流路切換バルブ１０は一対の流体入口２７、２８と一対の流体出口２９、３０を有するバルブケーシング３１内の流体通路３２に弁部材３３を往復移動自在に嵌装してなり、流体入口２７、２８は電解槽１の各電極室５ａ、５ｂに各別に連動されるとともに、一方の流体出口２９は利用側吐水口８に、他方の流体出口３０はドレン排水口９に連通されるものである。
【００３１】
バルブケーシング３１の流体通路３２は内周面の軸方向に沿って、第１弁座３４、第２弁座３５、第３弁座３６、第４弁座３７及び第５弁座３８を有するとともに、一方の流体出口２９（図では利用側吐水口への流体出口）は第５弁座３８を通して内部の流体通路３２に連通し、他方の流体出口３０（図ではドレン排水側流体出口）は第２弁座３５と第３弁座３６の間で内部流体通路３２に連通している。
【００３２】
バルブケーシング３１の内部流体通路３２内を摺動する弁部材３３は内部軸方向に貫通する通路３９を有するとともに、外周軸方向に沿って４ヶ所の弁体４１〜４４を一体に保持している。そして、弁部材３３の軸方向移動により第１弁体４１は前記第１弁座３４を、第２弁体４２は前記第２弁座３５を、第３弁体４３は前記第３弁座３６を開閉するとともに、第４弁体４４は前記第４弁座３７と第５弁座３８を開閉するようになっている。
【００３３】
弁部材３３はバルブケーシングの内外軸方向に配設された操作ロッド４５に固定され、ケーシング３１外部からの押込み、引き戻し操作により、流体通路３２内を往復移動するように配設されており、図の実施例では操作ロッド４５の基端に送り出し用のねじ山を形成したブロック４６が固定されており、パルスモータ等の駆動装置４７によって回転するギヤ４８の内側送りねじと、ブロック４６外側の送りねじ山の内外の螺合により、ギヤ４８の回転運動を弁部材３３の直線運動に変換している。尚、図中４９はブロック４６の外周突起を軸方向の凹溝に係合させて弁部材３３の共廻りを防止しながら直進させるガイド部材である。
【００３４】
かくして、図示実施例の流路切換バルブ１０は、図６ａのように、第１弁座３４と第３弁座３６が閉じ、第２弁座３５と第５弁座３８が開く位置に弁部材３３をスライドさせると一方の電極室に連通する流体入口２７と利用側流体出口２９が連通し、他方の電極室に連通する流体出口２８と排水側流体出口３０が連通する。
【００３５】
他方、図６ｂのように、第１弁座３４と第３弁座３６が開き、第２弁座３５と第５弁座３８が閉じる位置に弁部材３３をスライドさせると、一方の電極室に連通する前記流体入口２７が排出側流体出口３０にて連通するとともに、他方の電極室に連通する前記流体入口２８が弁部材３３の軸心通路３９を介して利用側流体出口２９に連通し、流路が切換わる。
【００３６】
また、図６ｃのように、第２弁座３５と第３弁座３６を閉じ、第１弁座３４、第４弁座３７及び第５弁座３８を開く位置に弁部材３３をスライドさせると一対の流体入口２７、２８の双方が利用側流体出口２９に連通し、排水側流体出口３０への通路が閉鎖される。従って、電解停止してこの水回路に切換えると、電解槽１に供給した水の全量が浄水として利用側流体出口２９へ流れる。
【００３７】
さらに、図６ｄのように、第１弁座３４と第４弁座３７または第５弁座３８を閉じ、第２弁座３５と第３弁座３６を開く位置に弁部材３３をスライドさせると、一対の流体入口２７、２８の双方が、排水側流体出口３０に連通し、利用側流体出口２９への通路が閉鎖される。従って電解槽１を洗浄したときのように、汚水を利用側吐水口８に流したくない場合に電解槽１の汚水をすべて排水側流体出口３０へ流すことができる。
【００３８】
尚、流路切換バルブ１０の操作も、好ましくは電解槽の電極切換えスイッチ、ＯＮ−ＯＦＦスイッチ、洗浄スイッチ等に同期または連動させて操作する。
【００３９】
電解槽１の給水量を制御してｐＨのより高いアルカリイオン水やｐＨのより低い酸性水を生成できるようにするために、図１ａ、図１ｂのように、流量比率調整・切換バルブ１１の上流側給水管６にオリフイス、絞り弁などの流量制御機構１７をもうけてもよい。
【００４０】
電解槽１の各電極室５ａ、５ｂは流量の違いにより圧力差が生じ、このため陽極室側に生ずるトリハロメタン等の残留塩素が隔膜４を通して陰極室のアルカリ水に混入してしまう場合がある。これを防止するために、図１ａ、図１ｂに示すように、電解槽１の排水管路７ａ、７ｂの一方または双方に、電解槽１の電極室５ａ、５ｂの圧力差を調整するためのオリフイス、絞り弁などの流量比制御機構５０を設けてもよい。
【００４１】
この場合、流路切換バルブ１０の下流側で流量比を制御する場合は、図１ａのように、吐水口８に通じる排水管路に流量比制御機構５０を設け、他方、流路切り換えバルブ１０の上流側で流量比を制御する場合は、図１ｂのように、双方の排水管路７ａ、７ｂに流量比制御機構５０、５０を設けるのが好ましい。
【００４２】
前記流量制御機構１７及び流量比制御機構５０は手動、電動を問わず、また、絞りが固定のものでも絞り調節可能のものでもよい。さらには、一対の排水管路７ａ、７ｂに介装する流量比制御機構５０、５０は一つの駆動手段で連動させてもよく、また、個別に作動するようにしてもよい。
【００４３】
なお、図１ａ及び図１ｂに符号５１で示す部材はドレン排水口からの雑菌の浸入を防止するための逆止弁である。
【００４４】
【効果】
本発明の連続式電解整水装置は、一つのバルブユニットの回転操作で電解槽の一対の電極室に流れる流量比が設定されるとともに、バルブをスライドさせるだけで、流量比が逆転されるから、電解槽の電極極性転換に体して、簡単な操作で目的の電解水生成の流量比が維持される。
【００４５】
また、電解槽の排水管路に介装した流路切換バルブは前記のように４通りの水回路に切り換えできるので、電解槽の極性転換に対応して流路を切り換えできるほか、電解停止時の供給水の全量を利用側吐水口から取り出すことができるとともに、電解槽の洗浄水等の全量を排水ドレンへ流し、利用側吐水口に洗浄水等が流れないようにすることができるので実用上きわめて有益である。
【図面の簡単な説明】
【図１ａ】本発明の実施例による連続式電解整水装置の概略構成図
【図１ｂ】本発明の他の実施例による連続式電解整水装置の概略構成図
【図２】図１ａ、図１ｂの実施例における流量比率調整・切換バルブの作用説明図
【図３】本発明の他の実施例による流量比率調整・切換バルブの作用説明図
【図４ａ】本発明の電解整水装置に使用される流量比率調整・切換バルブの他の実施例を示す縦断面図
【図４ｂ】図４ａ実施例の流量比を逆に切り換えたときの縦断面図
【図５ａ】図４ａの５Ａ−５Ａ線断面図
【図５ｂ】図４ａの５Ｂ−５Ｂ線断面図
【図５ｃ】図４ｂの５Ｃ−５Ｃ線断面図
【図５ｄ】図４ｂの５Ｄ−５Ｄ線断面図
【図５ｅ】図４ｂの５Ｅ−５Ｅ線断面図
【図５ｆ】弁体の回転操作説明図
【図６ａ】流路切換バルブの縦断面図
【図６ｂ】図６ａの流路切換バルブの流路切換状態図
【図６ｃ】図６ａの流路切換バルブの流路切換状態図
【図６ｄ】図６ａの流路切換バルブの流路切換状態図
【符号の説明】
１…電解槽、  ２、３…電極、  ４…電解隔膜、  ５ａ、５ｂ…電極室、  ６…給水管、  ７ａ、７ｂ…排水管路、  ８…吐水口、  ９…ドレン排水口、  １０…流路切換バルブ、  １１…流量比調整・切換バルブ、  １２…給水口、  １３ａ、１３ｂ…排水口、  １４…バルブケーシング、  １５…切換スペース、  １５ａ、１５ｂ…排水路、  １６…弁体、  １６ａ…回転軸体、  １６ｂ…開閉部材、  １６ｃ…回転伝達部材、  １７…流量制御機構、  １８…通水路、  １９…回転体、  ２１…ギヤ、  ２２…ばね、  ２３…プッシュロッド、  ２４…ブロック、  ２５…回転ギヤ、  ２６…ねじ部材、  ２７、２８…流体入口、  ２９、３０…流体出口、  ３１…バルブケーシング、  ３２…流体通路、  ３３…弁部材、  ３４…第１弁座、  ３５…第２弁座、  ３６…第３弁座、  ３７…第４弁座、  ３８…第５弁座、  ３９…通路、  ４１…第１弁体、  ４２…第２弁体、４３…第３弁体、  ４４…第４弁体、  ４５…操作ロッド、  ４６…ブロック、４７…駆動装置、  ４８…ギヤ、  ４９…ガイド、  ５０…流量比制御機構。
【図１ａ】
0003634423.tif 000002
【図１ｂ】
0003634423.tif 000003
【図２】
0003634423.tif 000004
【図３】
0003634423.tif 000005
【図４ａ】
0003634423.tif 000006
【図４ｂ】
0003634423.tif 000007
【図５ａ】
0003634423.tif 000008
【図５ｂ】
0003634423.tif 000009
【図５ｃ】
0003634423.tif 000010
【図５ｄ】
0003634423.tif 000011
【図５ｅ】
0003634423.tif 000012
【図５ｆ】
0003634423.tif 000013
【図６ａ】
0003634423.tif 000014
【図６ｂ】
0003634423.tif 000015
【図６ｃ】
0003634423.tif 000016
【図６ｄ】
0003634423.tif 000017